(57)【要約】本発明は、口の一側の歯列弓間に配置される歯科用ウェッジ（２）と、舌を押す第１部分（３Ａ），及び，口腔前庭における口の他側に係合する第２部分（３Ｂ）を含んだ保護ブレード（３）と、を含んだ口腔内保護具に関するものである。この口腔内保護具は、ブレードの第２部分が、折り返し部分（３Ｃ）まで延びて、口の唇交連に配置されるフックを形成することを特徴とする。
2015525593.tif 000002
【特許請求の範囲】
【請求項１】
口の一側の歯列弓間に配置されることを目的とした歯科用ウェッジ（２）と、
舌を押す第１部分（３Ａ），及び，口腔前庭における口の他側に接触する第２部分（３Ｂ）を含んだ保護ブレード（３）と、
を含む口腔内保護具であって、
該口腔内保護具は、前記ブレード（３）の前記第２部分（３Ｂ）が、返し（３Ｃ）まで延びて、唇の端に配置されるフックを形成することを特徴とする口腔内保護具。
【請求項２】
前記ブレード（３）の前記第１部分（３Ａ）は、口腔底と口蓋との間の距離より大きい高さを有し、
この高さは、前記ブレードを屈曲させ、これにより、前記口腔内保護具の保持力を高めることを特徴とする請求項１に記載の口腔内保護具。
【請求項３】
前記ブレード（３）は、前記ウェッジ（２）に対する前記ブレードの位置決めを容易にする嵌め合い隙間を有する、迅速な嵌合型の柔軟性を有する連結部（１００）によって、前記ウェッジと連結されることを特徴とする請求項１に記載の口腔内保護具。
【請求項４】
柔軟性を有する前記連結部（１００）は、Ｃ字型外形の形状をした雄部（５）を含み、
前記Ｃ字型外形の凹面（６）は、前記ウェッジ（２）に面するように方向付けられており、
前記Ｃ字型外形は、Ｃ字型の圧入通路としての変形可能な開口部を有する前記ウェッジの相補のキャビティ（７）内に、嵌合するように形成されることを特徴とする請求項３に記載の口腔内保護具。
【請求項５】
前記Ｃ字型外形の全長は、前記Ｃ字型外形が、前記Ｃ字型外形を受け入れる前記キャビティ（７）内で移動可能にすることを特徴とする請求項４に記載の口腔内保護具。
【請求項６】
前記Ｃ字型外形の前記凹面（６）は、前記ウェッジ（２）上のリム（８）を覆うことを特徴とする請求項４または５に記載の口腔内保護具。
【請求項７】
前記ウェッジ（２）は、圧縮によって弾性変形するものであり、また、歯に対向する支持領域を有することを特徴とする請求項１乃至６のいずれか１項に記載の口腔内保護具。
【請求項８】
歯に対する前記支持領域は、前記ウェッジ（２）の縦軸に沿った摺動を防止する、複数のリブ（１６）を有しており、また、
前記支持領域は、歯を横方向に位置決めするために、横軸において凹面を有することを特徴とする請求項７に記載の口腔内保護具。
【請求項９】
前記ブレード（３）の前記第１部分（３Ａ）は、前記ウェッジ（２）から離れるにつれて狭くなる細長い葉の形状をして、前記第１部分に対して約９０°回転した向きの前記ブレードの前記第２部分（３Ｂ）を配置する、湾曲した転換領域（３０）まで延びており、また、
前記第２部分は、前記返し（３Ｃ）まで延び、フックを形成することを特徴とする請求項１に記載の口腔内保護具。
【請求項１０】
前記ブレード（３）の前記第１部分（３Ａ）と前記第２部分（３Ｂ）との間の材料の縮小部（３０）は、大臼歯の後方に配置されて、保持されることを可能にすることを特徴とする請求項９に記載の口腔内保護具。
【発明の詳細な説明】
【技術分野】
【０００１】
本発明は、歯に対する作業中に歯を保護するための器具に関するものである。
【背景技術】
【０００２】
歯に対する作業中に、患者は、自身の口を開けたままにしなければならない。その結果、口腔外科医は、歯に対して作業を行うために、頬の内側，及び／または，舌を傷つけないように注意しながら、歯にアクセスすることができる。
【０００３】
このため、口腔外科医が歯にアクセスするために、患者は、自身が自身の口を開けたままにしなければならない。しかしながら、外科処置が非常に長い場合、長期にわたって口を開けたままにすることが簡単ではないため、患者の顎は、徐々に閉じてしまう。
【０００４】
従って、本発明に係る第１の課題は、口を開けたままにしておくことである。
また、本発明に係る第２の課題は、舌，及び／または，頬の内側を傷つけることを防止することである。
【０００５】
今も用いられている従来技術の１つは、作業領域の両側，及び／または，歯列弓間に配置される複数の円筒形の綿パッドで、頬と舌を分離することから成る。
この技術は、後方へ舌を押し、口が開いた状態を保持する器具によって、改善されている。
従って、口を開けたままにするために、治療される歯が位置する側と反対側の上下の歯列弓間に配置される、厚みのあるウェッジを含む器具が存在する。
【０００６】
口を保護するために、ブレードを使用することが公知であり、このブレードは、前述した厚みのあるウェッジに取り付けられ、また、ブレードの後方へ舌を押すように配置される（米国特許出願公開第2003/134253号または米国特許第5,730,599号参照）。
ブレードは、口腔前庭における頬と歯との間に配置される、口の他の側を支持するサイドフラップに連結された、舌を押す部材を含む。口腔内に平坦に配置されるブレードは、正面視において、口の他の側で一種の８の字を形成している。
【０００７】
歯用のウェッジとブレードとの間の連結が固定された動かないものであり、また、ウェッジが、ブレードを正しい位置に配置するように位置するので、ブレードは、正確に配置され、その場所にとどまる。しかし、器具が標準型サイズのものである一方で、各患者の口は、個別のサイズのものであるので、ウェッジとブレードとの間の連結が固定された動かないものであることは、器具の設計，及び，配置に制約を与えてしてしまう。
【発明の概要】
【０００８】
本発明は、上記の課題を解決することを目的とする。
この目的を達成するために、本発明は、口の一側の歯列弓間に配置されることを目的とした歯科用ウェッジと、舌を押す第１部分，及び，口の他側に接触する第２部分を含んだ保護ブレードと、を含む口腔内保護具であって、この口腔内保護具は、ブレードの第２部分が、返しまで延びて、唇の端に配置されるフックを形成することを特徴とする。
【図面の簡単な説明】
【０００９】
本発明は、図１〜７の図面に関連した、非限定的な例としての以下の記述によって明確に理解されるであろう。
【図１】本発明における保護具の斜視図である。
【図２】図１の保護具の正面図である。
【図３】図１の保護具の平面図である。
【図４】図１の保護具におけるブレード単体を示した図である。
【図５】図４のブレードの正面図である。
【図６】図１の保護具におけるウェッジ単体の斜視図である。
【図７】図６のウェッジの側面図である。
【発明を実施するための形態】
【００１０】
図を参照すると、歯の治療に用いられる口腔内保護具１が、示されている。この器具は、患者の口を開けたままにすることを目的としており、この目的のために、ウェッジ２が用いられ、ウェッジ２の高さ，及び，歯列弓における位置は、口の開き具合を決める。
【００１１】
口腔内保護具１は、このウェッジ２に加えて、第１部分３Ａ，及び，口の他の側に接触する第２部分３Ｂを含んだ、保護ブレード３を備える。この保護具１は、ブレード３の第２部分３Ｂが、頬の外面上で支持されることを意図した返し（リターン）３Ｃまで延びて、唇の端に配置されるフックを形成することを特徴とする。
【００１２】
このフックは、後方へ曲げられている。
保護具１が配置されると、保護具１は、両端部において保持される。従って、保護具１は、上下の顎の間のウェッジ２によって片方が固定され、また、第２部分３Ｂ及び返し３Ｃによって形成される、頬に係合されるフックによって他方が固定される。
これにより、確実な位置決めを行うことができる。
【００１３】
第２部分３Ｂは、頬と歯の間に滑り込ませることによって頬（この頬の領域は、口腔前庭として言及される）を保護する一方で、第１部分３Ａは、舌を押して、舌を保護する。
【００１４】
さらに、ブレード３の第１部分３Ａは、口腔底と口蓋との間の距離より大きい高さを有する。保護具１が配置されたときに、ブレード３を屈曲させ、これにより、この“つぶれ”が、保護具１の保持力を高める。ブレード３の様々な部分の間において、材料の縮小部が存在し、ブレード３の様々な部分を互いに位置決めすることができる。注目すべきは、ブレード３の第１部分３Ａと第２部分３Ｂとの間の縮小部３０が、大臼歯の後方に配置されて、保持されることを可能にすることである。
【００１５】
本発明の実施は、フックの位置調整から始まり、その後、ウェッジ２の位置決めが行われる。
【００１６】
返し３Ｃは、舌，及び／または，頬の内側の保護に役立たない。しかし、返し３Ｃは、ウェッジ２に対するブレード３の位置決めを容易にする嵌め合い隙間を有する、迅速な嵌合型の柔軟性を有する連結部１００によって、従来型のブレード３とウェッジ２との間の固定された動かない連結に取って代わることを可能にする。この連結部１００は、ウェッジ２の正面、換言すると、口控の底部と反対側のウェッジ２の面、に形成されている。
【００１７】
ウェッジ２とブレード３との間の連結部１００は、以下のようなものである。
ブレード３は、Ｃ字型外形の形状をした雄部５を含む。このＣ字型外形の凹面６は、ウェッジ２に方向付けられている。このＣ字型外形は、Ｃ字型の圧入通路としての変形可能な開口部を有する相補のキャビティ７内に嵌合するように形成されている。Ｃ字型外形を受けるキャビティ７は、ウェッジ２の前面に配置されている。
【００１８】
ブレード３がウェッジ２と連結されたとき、Ｃ字型外形の凹面６は、リム８を覆う。このＣ字型外形は、このリム８に対して、わずかに角度的に移動（回転）することができ、その結果として、ブレード３を方向付けることを可能にする。従って、ウェッジ２は、弾性を有し、ウェッジ２の弾性変形によって、Ｃ字型外形が、キャビティ７の入り口を狭めている両方のリップ９を開くことにより、取り付け可能である。
【００１９】
このようなブレード３の取り付けは、ウェッジ２に対するブレード３の回転調整，及び，移動調整を可能にする。このような調整は、ブレード３の他端部が唇の端に配置されるので、容易になる。
【００２０】
このため、ウェッジ２は、圧縮するように弾性変形するものであり、歯に対する、２つの対向する支持領域を有する。
このウェッジ２の（低いままの）弾性は、患者にとって他の利益を有する。この利益は、不快感を受けることなしに患者がウェッジ２を噛むことができ、また、患者が、このウェッジ２を噛んだときに、Ｃ字型外形を掴んで、固定することができることである。
【００２１】
半円管（Ｃ字型外形）のような、この形状の自由端は、ウェッジ２の開放したキャビティ７内におけるＣ字型外形の軸方向の移動を制限する、止め具５Ａを有する。この半円管形状は、この形状の全長の範囲内で摺動することができる。
これにより、迅速で、調整可能で、かつ、柔軟性のある取り付けが、実現される。
【００２２】
この半円管形状（中空の半円柱）は、ウェッジ２との連結手段の２つの相補の部分の一方を構成するように、ブレード３の側に配置されて、返し３Ｃの前のブレード３の第２部分３Ｂの端部付近まで延びている。これにより、半円管形状（中空の半円柱）は、ブレード３に、縦方向の波形状により、剛性を与える、縦方向のリブ１０を形成する。
【００２３】
本発明における器具を見ると、第１部分３Ａは、広がった後にウェッジ２から離れるにつれて狭くなる細長い葉のような形状をして、第１部分３Ａに対して約９０°回転した向きに第２部分３Ｂを配置する、湾曲した転換領域３０まで延びている。また、第２部分３Ｂは、返し３Ｃまで延びて、フックを形成している。
【００２４】
ブレード３は、湾曲面を有し、その凹面は、前方を向いているため、口の入り口に向かっている。ブレード３の厚みの変化の選択，及び，その配置は、ブレード３に、より高い、または、より低い柔軟性をもたらす。
【００２５】
複数のノッチ１５が、ブレード３の縁部に示されている。これらの複数のノッチ１５は、流体が流れることを可能にし、図示されていない手段によって流体が吸引される。
【００２６】
前述したように、ウェッジ２は、圧縮性のあるものであるため、完全な剛体ではない。支持領域における複数のリブ１６は、ウェッジ２の縦軸に沿った摺動を防止する。また、この支持領域は、歯に対するウェッジ２の動作を横方向に制限するために、横軸において凹面を有し、これにより、歯を位置決めする。
【００２７】
ウェッジ２とブレード３との間の取り外し可能な連結は、治療器具を迅速に取り外し、分離させて、よりよい殺菌を行う器具を構成することを可能にする。
【００２８】
ウェッジ２の材料は、ブレード３の材料と異なる特性であってもよいため、各部材は、個別に成形可能であり、これは、同時射出が行われた場合に成形時に生じる応力を回避することができる。
【００２９】
これは、異なる寸法の一連の複数のウェッジから１つのウェッジを、また、異なる寸法の一連の複数のブレードから１つのブレードを、選択することを可能にする。
また、各部材で、殺菌可能である。
【図１】
2015525593.tif 000003
【図２】
2015525593.tif 000004
【図３】
2015525593.tif 000005
【図４】
2015525593.tif 000006
【図５】
2015525593.tif 000007
【図６】
2015525593.tif 000008
【図７】
2015525593.tif 000009
【国際調査報告】
2015525593.tif 000010
2015525593.tif 000011
2015525593.tif 000012
2015525593.tif 000013
2015525593.tif 000014